(57)【要約】【課題】より使い易い電動家具を提供する。【解決手段】実施形態によれば、電動家具は、高さが可変のベッドと、前記ベッドの脚部に接続されるスペーサと、表示部と、を含む。前記表示部は、前記スペーサの高さを含む情報に基づいて前記ベッドの前記高さを補正して表示可能である。【選択図】図１
2019166122.tif 000002
【特許請求の範囲】
【請求項１】
高さが可変のベッドと、
前記ベッドの脚部に接続されるスペーサと、
表示部と、
を備え、
前記表示部は、前記スペーサの高さを含む情報に基づいて前記ベッドの前記高さを補正して表示可能な、電動家具。
【請求項２】
前記情報は、前記スペーサに設けられた、請求項１記載の電動家具。
【請求項３】
高さが可変のベッドと、
前記ベッドの脚部に接続されるスペーサと、
表示部と、
を備え、
前記脚部及びスペーサの少なくともいずれかは、スイッチを含み、
前記スイッチの状態は、前記脚部に前記スペーサが接続されたときと接続されないときとで異なり、
前記表示部は、前記状態に基づいて前記ベッドの前記高さを補正して表示可能な、電動家具。
【請求項４】
高さが可変のベッドと、
前記ベッドの上に置かれるマットレスと、
表示部と、
入手部と、
を備え、
前記入手部は、前記マットレスの厚さを含む情報を入手可能であり、
前記表示部は、前記情報に基づいて前記ベッドの前記高さを補正して表示可能な、電動家具。
【請求項５】
前記情報は、前記マットレスに設けられた、請求項４記載の電動家具。
【請求項６】
ベッドと、
表示部と、
を備え、
前記表示部は、測定部により測定された結果に基づいて前記ベッドの高さを補正して表示可能な、電動家具。
【請求項７】
高さが可変のベッドと、
前記ベッドの脚部に接続されるスペーサに関する第１情報及び前記ベッドの上に置かれるマットレスに関する第２情報の少なくともいずれかを含む第３情報を保持する記憶部と、
表示部と、
を備え、
前記表示部は、前記第３情報に基づいて前記ベッドの前記高さを補正して表示可能な、電動家具。
【発明の詳細な説明】
【技術分野】
【０００１】
本発明の実施形態は、電動家具に関する。
【背景技術】
【０００２】
例えば、ベッド面の高さが可変の電動家具（例えば、電動ベッド）がある。このような電動家具において、より使い易いことが望まれる。
【先行技術文献】
【特許文献】
【０００３】
【特許文献１】特開２０１４−２０４８４６号公報
【発明の概要】
【発明が解決しようとする課題】
【０００４】
本発明の実施形態は、より使い易い電動家具を提供する。
【課題を解決するための手段】
【０００５】
実施形態によれば、電動家具は、高さが可変のベッドと、前記ベッドの脚部に接続されるスペーサと、表示部と、を含む。前記表示部は、前記スペーサの高さを含む情報に基づいて前記ベッドの前記高さを補正して表示可能である。  
別の実施形態によれば、電動家具は、高さが可変のベッドと、前記ベッドの脚部に接続されるスペーサと、表示部と、を含む。前記脚部及びスペーサの少なくともいずれかは、スイッチを含む。前記スイッチの状態は、前記脚部に前記スペーサが接続されたときと接続されないときとで異なる。前記表示部は、前記状態に基づいて前記ベッドの前記高さを補正して表示可能である。  
別の実施形態によれば、電動家具は、高さが可変のベッドと、前記ベッドの上に置かれるマットレスと、表示部と、入手部と、を含む。前記入手部は、前記マットレスの厚さを含む情報を入手可能である。前記表示部は、前記情報に基づいて前記ベッドの前記高さを補正して表示可能である。
別の実施形態によれば、電動家具は、ベッドと、表示部と、を含む。前記表示部は、測定部により測定された結果に基づいて前記ベッドの高さを補正して表示可能である。
別の実施形態によれば、電動家具は、高さが可変のベッドと、前記ベッドの脚部に接続されるスペーサに関する第１情報及び前記ベッドの上に置かれるマットレスに関する第２情報の少なくともいずれかを含む第３情報を保持する記憶部と、表示部と、を含む。前記表示部は、前記第３情報に基づいて前記ベッドの前記高さを補正して表示可能である。
【発明の効果】
【０００６】
本発明の実施形態は、より使い易い電動家具を提供できる。
【図面の簡単な説明】
【０００７】
【図１】図１（ａ）〜図１（ｃ）は、第１実施形態に係る電動家具を例示する模式的斜視図である。
【図２】第１実施形態に係る電動家具を例示する模式図である。
【図３】図３（ａ）及び図３（ｂ）は、第１実施形態に係る電動家具の一部を例示する模式図である。
【図４】図４（ａ）及び図４（ｂ）は、第１実施形態に係る電動家具を例示する模式図である。
【図５】図５（ａ）及び図５（ｂ）は、第１実施形態に係る電動家具を例示する模式図である。
【図６】第１実施形態に係る電動家具を例示する模式図である。
【図７】第１実施形態に係る電動家具を例示する模式図である。
【図８】第１実施形態に係る電動家具を例示する模式図である。
【図９】第１実施形態に係る電動家具を例示する模式図である。
【図１０】第２実施形態に係る電動家具を例示する模式的斜視図である。
【図１１】第３実施形態に係る電動家具を例示する模式的斜視図である。
【図１２】第３実施形態に係る電動家具を例示する模式的斜視図である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
（第１実施形態）  
図１（ａ）〜図１（ｃ）は、第１実施形態に係る電動家具を例示する模式的斜視図である。  
図１（ａ）に示すように、実施形態に係る電動家具３１０は、ベッド７０を含む。ベッド７０の高さは、可変である。ベッド７０に、高さ変更部７０ｄ（例えばアクチュエータなど）が設けられる。高さ変更部７０ｄの動作により、ベッド７０の高さが変更可能である。電動家具３１０は、例えば、電動ベッドである。
【００１０】
ベッド７０に、脚部７４、ベースフレーム７３、フレーム７３Ｆ、ボトム７１及び制御回路４３が設けられる。ベースフレーム７３は、脚部７４に支えられる。ベースフレーム７３に高さ変更部７０ｄが設けられる。高さ変更部７０ｄの上にボトム７１が設けられる。ボトム７１の上に、マットレス７６が設けられる。マットレス７６の上に、ベッド７０の使用者が横たわる。例えば、ボトム７１の下に制御回路４３が設けられる。制御回路４３は、高さ変更部７０ｄを制御可能である。
【００１１】
ベッド７０は、制御装置７０ｒ（例えばリモートコントローラなど）を含んでも良い。制御装置７０ｒは、ケーブル７０ｒｃにより制御回路４３と接続される。制御装置７０ｒと制御回路４３との間の接続は、有線及び無線の少なくともいずれかの任意の方法で行われても良い。制御装置７０ｒの操作に基づく信号に基づいて、制御回路４３から制御信号が、高さ変更部７０ｄに供給される。高さ変更部７０ｄ（例えばアクチュエータ）の動作により、ベッド７０の高さが変更される。
【００１２】
制御装置７０ｒに表示部７０ｒＤが設けられる。表示部７０ｒＤに各種の情報が表示されても良い。
【００１３】
ベッド７０の高さは、例えば、ベッド７０が置かれる床面と、ボトム７１の上面と、の間の距離（重力に沿う方向の距離）に対応する。
【００１４】
実施形態において、ボトム７１の一部が傾斜しても良い。例えば、「背上げ」及び「膝上げ」の少なくともいずれかが実施できても良い。
【００１５】
実施形態において、ベッドサイド制御部４７が設けられても良い。ベッドサイド制御部４７に表示部４７Ｄが設けられても良い。
【００１６】
ベッド７０に、表示部７０Ｄが設けられる。表示部７０Ｄは、例えば、制御装置７０ｒに設けられる表示部７０ｒＤでも良い。表示部７０Ｄは、ベッドサイド制御部４７に設けられる表示部４７Ｄでも良い。後述するように、例えば、これらの表示部７０Ｄにベッド７０の高さが表示される。
【００１７】
図１（ｂ）及び図１（ｃ）は、制御装置７０ｒを例示している。制御装置７０ｒは、第１面１０ａ及び第２面１０ｂを含む。第２面１０ｂは、第１面１０ａの反対側である。
【００１８】
図１（ｂ）に示すように、第１面１０ａに表示部７０ｒＤが設けられる。この他、第１面１０ａに操作ボタン２０が設けられる。操作ボタン２０は、操作を受け付ける。この例では、複数の操作ボタン２０（例えば、第１〜第１０ボタン２１ａ〜２１ｊなど）が設けられる。例えば、第１〜第６ボタン２１ａ〜２１ｆを操作することで、ボトム７１の角度（傾斜）が変化する。第７ボタン２１ｇ及び第８ボタン２１ｈを操作することで、ボトム７１の高さ（ベッド７０の高さ）が変化する。第９ボタン２１ｉ及び第１０ボタン２１ｊを操作することで、例えば、記憶された動作（例えば記憶された姿勢への移行）などが行われる。操作ボタン２０は、機械式でも良くタッチ式でも良い。
【００１９】
第２面１０ｂには、操作受付部５０が設けられる。操作受付部５０の操作により、制御装置７０ｒ（またはベッド７０）が設定モードに移行しても良い。
【００２０】
図１（ａ）に示すように、この例では、脚部７４の下に、スペーサ７５が設けられている。スペーサ７５は、脚部７４に、着脱可能に設けられる。スペーサ７５が設けられない場合、ベッド７０の高さは低い。スペーサ７５が設けられると、ベッド７０の高さは、高くなる。例えば、ベッド７０の使用者などの要望に応じて、スペーサ７５が設けられる場合と、設けられない場合がある。複数種類のスペーサ７５が用意されてもよい。複数種類のスペーサ７５において、互いの高さが異なる。ベッド７０の所望の高さになるように、スペーサ７５の種類（高さ）が選ばれる。
【００２１】
図２は、第１実施形態に係る電動家具を例示する模式図である。  
図２は、電動家具３１０の機能ブロック図である。電動家具３１０は、制御回路４３、高さ変更部７０ｄ及び表示部７０Ｄを含む。この例では、操作受付部５０、操作ボタン２０及び記憶部４０が設けられている。既に説明したように、操作受付部５０及び操作ボタン２０は制御装置７０ｒに設けられる。
【００２２】
記憶部４０は、制御装置７０ｒ、制御回路４３、ベッドサイド制御部４７、および、サーバの少なくともいずれかに設けられてもよい。記憶部４０は、半導体メモリまたは磁気メモリなど任意のメモリを含む。記憶部４０は、例えば、各種のデータを保存し、他の機器に提供できる。
【００２３】
操作受付部５０及び操作ボタン２０などの操作により、制御回路４３から制御信号が高さ変更部７０ｄに供給され、高さ変更部７０ｄが動作する。制御回路４３から、表示に関するデータが表示部７０Ｄに供給され、表示部７０Ｄに種々のデータ（高さなど）が表示される。
【００２４】
以下、スペーサ７５の例について説明する。  
図３（ａ）及び図３（ｂ）は、第１実施形態に係る電動家具の一部を例示する模式図である。  
図３（ａ）は、脚部７４とスペーサ７５とを接続する前の状態に対応する。図３（ｂ）は脚部７４とスペーサ７５とが接続された状態に対応する。例えば、脚部７４及びスペーサ７５には、互いにフィットする凹凸が設けられる。この例では、スペーサ７５に凸部７５ｐ（弾性部分）が設けられる。脚部７４に、凹部７４ｄ（この例では孔）が設けられる。凸部７５ｐ及び凹部７４ｄがフィットする。実施形態において、スペーサ７５に凹部が設けられ、脚部７４に凸部が設けられてもよい。
【００２５】
以下、スペーサ７５が設けられない状態を第１状態とする。脚部７４及びスペーサ７５が接続された状態を第２状態とする。
【００２６】
図４（ａ）及び図４（ｂ）は、第１実施形態に係る電動家具を例示する模式図である。  図４（ａ）は、第１状態ＳＴ１に対応する。第４（ｂ）は、第２状態ＳＴ２に対応する。
【００２７】
図４（ａ）に示すように、第１状態ＳＴ１において、床面７８と、ボトム７１の上面と、の間の距離を、ベッドの高さＨ１とする。図４（ｂ）に示す第２状態ＳＴ２ではスペーサ７５が設けられている。このため、第２状態ＳＴ２における高さＨ２は、第１状態ＳＴ１における高さＨ１よりも高くなる。
【００２８】
ベッド７０の使用者などに応じて、スペーサ７５が用いられない場合と、スペーサ７５が用いられる場合がある。
【００２９】
例えば、表示部７０Ｄ（例えば、表示部７０ｒＤ及び表示部４７Ｄなど）に、高さの値が表示される。この値は、例えば、高さ変更部７０ｄ（アクチュエータ）の動きに基づいている。従って、一般に、表示部７０Ｄには、スペーサ７５が用いられないときの高さが表示される。
【００３０】
この場合、スペーサ７５が用いられるときに表示される高さの値は、実際の高さとは異なる。このため、使用者及びその看護者などにおいて誤認識が生じやすい。例えば、病院などの施設においては、多くのベッド７０が設けられる。複数のベッド７０において、スペーサ７５が用いられる場合と用いられない場合がある。このような場合に、特に、誤認識が生じやすい。
【００３１】
ベッドの高さは、使用者にとって重要である。例えば、使用者が立ち上がるときの適切な高さは、使用者の身長や健康状態により異なる。例えば、使用者がベッド７０から車いすなどに移乗する場合にも、適切な高さがあり、適切な高さは、使用者または車いすなどに応じて変化する。従って、実際の高さ（または実際に近い高さ）に対応する値が表示部７０Ｄに表示されることが好ましい。
【００３２】
実施形態においては、例えば、スペーサ７５の有無、または、スペーサの種類（高さの種類）などに応じて、表示部７０Ｄに表示される高さに対応する値を変更する。この動作は、任意のプロセッサ（制御装置７０ｒ、制御回路４３、ベッドサイド制御部４７、および、サーバの少なくともいずれか）で行われる。
【００３３】
例えば、ベッド７０を、スペーサ７５を使用しない第１状態ＳＴ１からスペーサ７５を使用する第２状態ＳＴ２に変更する場合に、以下の手順が実施される。
【００３４】
例えば、ベッド７０の電源がオフ状態のときに、操作受付部５０と、複数の操作ボタン２０と、を同時に操作する。これにより、制御装置７０ｒは、「高さ設定モード」になる。この状態で、例えば、複数の操作ボタン２０の少なくとも１つを操作する。これにより、例えば、スペーサ７５が設けられるモードと、スペーサ７５が設けられないモードと、が選択できる。複数の高さのスペーサ７５が存在する場合に、複数の高さが選択できてもよい。
【００３５】
スペーサ７５に関するこれらの情報は、例えば、記憶部４０に保持されている。「高さ設定モード」において、上記のように、複数の操作ボタン２０の少なくとも１つを操作することで、記憶部４０に保持されたスペーサ７５に関する情報が、取り出される。この情報は、例えば、制御装置７０ｒ（または制御回路４３、ベッドサイド制御部４７、および、サーバなど）に保存される。
【００３６】
例えば、操作受付部５０などを操作することで、「高さ設定モード」から「動作モード」になる。動作モードにおいては、例えば、第７ボタン２１ｇ及び第８ボタン２１ｈを操作することで、高さ変更部７０ｄが動作し、ボトム７１が昇降する。これにより、ボトム７１の高さ（ベッド７０の高さ）が変化する。
【００３７】
例えば、表示部７０Ｄ（例えば、表示部７０ｒＤまたは表示部４７Ｄなど）は、スペーサ７５に関する情報（スペーサ７５の有無や高さなど）に基づいて、ベッド７０の高さを補正して表示する。
【００３８】
図５（ａ）及び図５（ｂ）は、第１実施形態に係る電動家具を例示する模式図である。  これらの図は、表示部７０Ｄの表示の例である。図５（ａ）は、スペーサ７５が設けられない第１状態ＳＴ１に対応する。図５（ｂ）は、スペーサ７５が設けられた第２状態ＳＴ２に対応する。この例では、スペーサ７５の高さは、７ｃｍである。
【００３９】
第１状態ＳＴ１において、表示部７０Ｄに１つの値(この例では、「３４」ｃｍ）が表示される。この値は、高さ変更部７０ｄ（例えばアクチュエータ）の１つの状態に対応する。
【００４０】
高さ変更部７０ｄ（例えばアクチュエータ）のこの１つの状態の場合、図５（ｂ）に示すように、第２状態ＳＴ２においては、表示部７０Ｄには、「４１」ｃｍが表示される。例えば、第１状態ＳＴ１における値と、スペーサ７５の高さの値（この例では７ｃｍ）と、の和が、表示部７０Ｄに表示される。これらの和の値は、補正された高さに対応する。この値は、実際の高さ（床面７８と、ボトム７１の上面と、の間の距離）に対応する。
【００４１】
このように、実施形態に係る電動家具３１０は、高さが可変のベッド７０と、ベッド７０の脚部７４に接続されるスペーサ７５と、表示部７０Ｄと、を含む。表示部７０Ｄは、スペーサ７５に対応する情報に基づいて、ベッド７０の高さを補正して表示可能である。この情報は、例えば、スペーサ７５の高さに関する情報を含む。
【００４２】
実施形態によれば、実際の高さ（または実際に近い高さ）に対応する値を表示可能である。これにより、誤認識が抑制される。より使い易い電動家具を提供できる。
【００４３】
電動家具３１０の例において、第１状態ＳＴ１のときに、高さ変更部７０ｄを最も下降させたときに、表示部７０Ｄには、「１５」ｃｍが表示される。第２状態ＳＴ２のときに、高さ変更部７０ｄを最も下降させたときに、表示部７０Ｄには、「２２」ｃｍが表示される。これらの値の差が、スペーサ７５の高さに対応する。
【００４４】
実施形態において、スペーサ７５は、キャスタ（車輪）などを含んでも良い。補正された「ベッド７０の高さ」は、補正前の「ベッド７０の高さ」よりも高い。補正は、値が増加する方向の補正である。実施形態において、補正された高さの代わりに、スペーサ７５が用いられていることに対応する情報を提供しても良い。例えば、「表示の数値はスペーサがないときの値です」、または、「スペーサが入っています」などの情報が提供されても良い。この提供は、表示（発光なども含む）及び音声の少なくともいずれかにより行われても良い。
【００４５】
図６は、第１実施形態に係る電動家具を例示する模式図である。  
本実施形態に係る電動家具３１１においても、高さが可変のベッド７０と、ベッド７０の脚部７４に接続されるスペーサ７５と、表示部７０Ｄと、が設けられる。図６は、電動家具３１１におけるスペーサ７５を例示している。スペーサ７５は、情報タグ７５ａを含む。情報タグ７５ａに、例えば、バーコード、二次元コード、電子チップ、または、磁気チップなどの任意のメモリ要素が用いられる。情報タグ７５ａには、スペーサ７５に関する情報（例えばスペーサ７５の高さなど）が格納されている。
【００４６】
例えば、情報タグ７５ａを読み取ることで、スペーサ７５に関する情報が取り出される。表示部７０Ｄは、取り出された、スペーサ７５の高さに対応する情報に基づいて、ベッド７０の高さを補正して表示可能である。
【００４７】
電動家具３１１においても、実際の高さ（または実際に近い高さ）に対応する値を表示可能である。これにより、誤認識が抑制される。より使い易い電動家具を提供できる。
【００４８】
図７は、第１実施形態に係る電動家具を例示する模式図である。  
図７に示すように、電動家具３１１においては、入手部７０Ａが設けられる。入手部７０Ａ（例えば、検出部）は、情報タグ７５ａに設けられた情報を入手可能である。入手部７０Ａは、例えば、制御装置７０ｒに設けられる。入手部７０Ａとして、例えば、スマートフォンなどの電子機器が用いられても良い。電子機器により、情報タグ７５ａに設けられた情報を入手しても良い。
【００４９】
図８は、第１実施形態に係る電動家具を例示する模式図である。  
本実施形態に係る電動家具３１２においても、高さが可変のベッド７０と、ベッド７０の脚部７４に接続されるスペーサ７５と、表示部７０Ｄと、が設けられる。図８は、電動家具３１２における脚部７４及びスペーサ７５を例示している。
【００５０】
電動家具３１２においては、脚部７４及びスペーサ７５の少なくともいずれかは、スイッチを含む。この例では、スペーサ７５にスイッチ７５Ｓが設けられている。
【００５１】
スイッチ７５Ｓの状態は、脚部７４にスペーサ７５が接続されたときと、接続されないときと、で異なる。例えば、スイッチ７５Ｓは、脚部７４にスペーサ７５が接続されたときにオンになり、接続されないときにオフになる。または、例えば、スイッチ７５Ｓは、脚部７４にスペーサ７５が接続されたときにオフになり、接続されないときにオンになっても良い。
【００５２】
例えば、脚部７４にスペーサ７５が接続されると、スイッチ７５Ｓが押されてオンになる。脚部７４にスペーサ７５が接続されないと、スイッチ７５Ｓが押されず、オフになる。
【００５３】
スイッチ７５Ｓの状態（例えば、オンまたはオフ）に関する信号は、制御回路４３に提供される。提供は、通信経路７５Ｃにより行われる。通信経路７５Ｃは、有線または無線の任意の方法が適用できる。制御回路４３は、この信号に基づく情報を、表示部７０Ｄに提供する。表示部７０Ｄは、スイッチ７５Ｓの状態に基づいて、ベッド７０の高さを補正して表示可能である。
【００５４】
電動家具３１２においても、実際の高さ（または実際に近い高さ）に対応する値を表示可能である。これにより、誤認識が抑制される。より使い易い電動家具を提供できる。
【００５５】
図９は、第１実施形態に係る電動家具を例示する模式図である。  
図９に示すように、電動家具３１２においては、スイッチ７５Ｓが設けられる。スイッチ７５Ｓは、脚部７４及びスペーサ７５の少なくともいずれかに設けられる。スイッチ７５Ｓの状態は、脚部７４にスペーサ７５が接続された第１状態ＳＴ１と、接続されない第２状態ＳＴ２と、で異なる。スイッチ７５Ｓは、例えば、機械的、電気的、磁気的または光学的に、第１状態ＳＴ１と第２状態ＳＴ２とを認識できる。
【００５６】
（第２実施形態）  
第２実施形態においては、マットレス７６の高さ（厚さ）に応じて、表示部７０Ｄの表示が変化する。
【００５７】
図１０は、第２実施形態に係る電動家具を例示する模式的斜視図である。  
図１０に示すように、本実施形態に係る電動家具３２０は、ベッド７０、マットレス７６及び入手部７０Ａを含む。この例では、入手部７０Ａは、制御装置７０ｒに設けられている。
【００５８】
マットレス７６には、例えば、情報タグ７６ａが設けられる。情報タグ７６ａには、例えば、バーコード、二次元コード、電子チップ、または、磁気チップなどの任意のメモリ要素が用いられる。情報タグ７６ａには、マットレス７６に関する情報（例えば、マットレス７６の厚さなど）が格納されている。
【００５９】
例えば、入手部７０Ａにより情報タグ７６ａを読み取ることで、マットレス７６に関する情報が取り出される。表示部７０Ｄは、取り出された、マットレス７６に対応する情報に基づいて、ベッド７０の高さを補正して表示可能である。この情報は、例えば、マットレス７６の厚さに関する情報を含む。
【００６０】
既に説明したように、マットレス７６の上に、使用者が横たわる。このため、使用者の高さ位置は、マットレス７６の上面の高さ位置に対応する。厚いマットレス７６と、薄いマットレス７６と、では、使用者の高さが異なる。このため、マットレス７６の厚さを用いて補正して表示することで、実際の高さ（または実際に近い高さ）に対応する値が表示できる。
【００６１】
電動家具３２０は、例えば、図７に例示した構成を有しても良い。
【００６２】
電動家具３２０においても、誤認識が抑制される。より使い易い電動家具を提供できる。
【００６３】
このように、本実施形態においては、入手部７０Ａは、マットレス７６の厚さを含む情報を入手可能である。表示部７０Ｄは、この情報に基づいてベッド７０の高さを補正して表示可能である。この情報（例えば情報タグ７６ａ）は、マットレス７６に設けられることが好ましい。複数のマットレス７６のそれぞれに、情報（例えば情報タグ７６ａ）が設けられてもよい。これにより、目的とするマットレス７６に対応する情報を効率的に入手できる。
【００６４】
実施形態に係る電動ベッド（例えば、電動ベッド３１０〜３１２、または３２０）は、例えば、高さが可変のベッド７０と、記憶部４０と、表示部７０Ｄと、を含む（図２、図７、図９などを参照）。記憶部４０は、以下の第３情報を保持する。第３情報は、ベッド７０の脚部７４に接続されるスペーサ７５に関する第１情報、及び、ベッド７０の上に置かれるマットレス７６に関する第２情報の少なくともいずれかを含む。表示部７０Ｄは、第３情報に基づいて、ベッド７０の高さを補正して表示可能である。
【００６５】
例えば、制御装置７０ｒの操作ボタンなどを操作して、マットレス７６の厚さの値などを入力して、高さを補正する参考例がある。この参考例においては、高さの値を入力するため、操作が煩雑である。これに対して、この実施形態においては、記憶部４０に保存された情報を取り出して表示を補正する。このため、操作がより簡単である。
【００６６】
（第３実施形態）  
第３実施形態においては、ベッド７０の高さが測定部により測定され、その結果に基づいて、ベッド７０の高さが補正される。
【００６７】
図１１及び図１２は、第３実施形態に係る電動家具を例示する模式的斜視図である。  
図１１及び図１２に示すように、本実施形態に係る電動家具３３０において、測定部７０Ｂによりベッド７０の高さが測定される。測定部７０Ｂは、例えば、カメラである。例えば、ベッド７０の高さ（ボトム７１の高さ）を最も低くした状態で、カメラにより、ベッド７０及び床面７８の像を取得する。カメラにより得られた画像を解析することで、その状態におけるマットレス７６の上面の高さに関する状態が得られる。この方法の場合、マットレス７６の厚さ、及び、スペーサ７５の有無に関係なく、高さを測定したときのマットレス７６の上面の高さに関する情報が得られる。
【００６８】
電動家具３３０においては、表示部７０Ｄは、測定部７０Ｂにより測定された結果に基づいて、ベッド７０の高さを補正して表示可能である。電動家具３３０においても、実際の高さ（または実際に近い高さ）に対応する値が表示できる。より使い易い電動家具を提供できる。測定部７０Ｂは、例えば、電磁波（例えば、赤外線またはレーザなど）を用いた距離計を含んでも良い。
【００６９】
実施形態において、表示部７０Ｄは、音声入力の結果に基づいて、ベッド面の高さを補正して表示しても良い。
【００７０】
実施形態によればより使い易い電動家具が提供できる。
【００７１】
以上、具体例を参照しつつ、本発明の実施の形態について説明した。しかし、本発明は、これらの具体例に限定されるものではない。例えば、電動家具に含まれるベッド、制御装置、制御回路、記憶部、入手部及び測定部などの各要素の具体的な構成に関しては、当業者が公知の範囲から適宜選択することにより本発明を同様に実施し、同様の効果を得ることができる限り、本発明の範囲に包含される。
【００７２】
各具体例のいずれか２つ以上の要素を技術的に可能な範囲で組み合わせたものも、本発明の要旨を包含する限り本発明の範囲に含まれる。
【００７３】
その他、本発明の実施形態として上述した電動家具を基にして、当業者が適宜設計変更して実施し得る全ての電動家具も、本発明の要旨を包含する限り、本発明の範囲に属する。
【００７４】
その他、本発明の思想の範疇において、当業者であれば、各種の変更例及び修正例に想到し得るものであり、それら変更例及び修正例についても本発明の範囲に属するものと了解される。
【符号の説明】
【００７５】
１０ａ、１０ｂ…第１、第２面、  ２０…操作ボタン、  ２１ａ〜２１ｊ…第１〜第１０ボタン、  ４０…記憶部、  ４３…制御回路、  ４７…ベッドサイド制御部、  ４７Ｄ…表示部、  ５０…操作受付部、  ７０…ベッド、  ７０Ａ…入手部、  ７０Ｂ…測定部、  ７０Ｄ…表示部、  ７０ｄ…高さ変更部、  ７０ｒ…制御装置、  ７０ｒＤ…表示部、  ７０ｒｃ…ケーブル、  ７１…ボトム、  ７３…ベースフレーム、  ７３Ｆ…フレーム、  ７４…脚部、  ７４ｄ…凹部、  ７５…スペーサ、  ７５Ｃ…通信経路、  ７５Ｓ…スイッチ、  ７５ａ…情報タグ、  ７５ｐ…凸部、  ７６…マットレス、  ７６ａ…情報タグ、  ７８…床面、  ３１０〜３１２、３２０、３３０…電動家具、  Ｈ１、Ｈ２…高さ、  ＳＴ１、ＳＴ２…第１、第２状態
【図１】
2019166122.tif 000003
【図２】
2019166122.tif 000004
【図３】
2019166122.tif 000005
【図４】
2019166122.tif 000006
【図５】
2019166122.tif 000007
【図６】
2019166122.tif 000008
【図７】
2019166122.tif 000009
【図８】
2019166122.tif 000010
【図９】
2019166122.tif 000011
【図１０】
2019166122.tif 000012
【図１１】
2019166122.tif 000013
【図１２】
2019166122.tif 000014